(57)【要約】【課題】電気配線作業がしにくい場所であっても容易に接続および組み立てができ、圧着端子の挿入不良が発生しない構成とすることで、可燃性冷媒を使用した冷蔵庫において冷媒ガスのリークが発生し、それが冷却器室や機械室などの配線接続部の近傍で可燃性冷媒の爆発限界以上の濃度になる可能性がある箇所であったとしても、発火する恐れがなく安全な冷蔵庫の配線コネクタ構成を提供する。【解決手段】可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタ１７をプラグハウジング１９とリセプタクルハウジング１８とから形成し、ハウジング双方の嵌合前の突き当て状態では導電端子２０、２１同士を離間させて電気的に導通しない構成とし、双方のハウジングの嵌合により導電端子間の接続をおこなうようにしたことを特徴とする。【選択図】　図２
2004069241.tif 000002
【特許請求の範囲】
【請求項１】
可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、前記ハウジング双方の嵌合前の突き当て状態では導電端子同士を離間させて電気的に導通しない構成とし、前記ハウジングの嵌合により導電端子間の接続をおこなうようにしたことを特徴とする冷蔵庫。
【請求項２】
プラグハウジング外面の結合側に突出する係合片と、リセプタクルハウジング外面の結合側に設けた係合部とを対向させて突き合わせた状態では導電端子同士を離間させて電気的に導通しない構成とし、係合片と係合部との嵌合によりハウジングの結合と導電端子間の接続をおこなうようにしたことを特徴とする請求項１記載の冷蔵庫。
【請求項３】
係合片あるいは係合部の一方からカバー体を一体に延設し、このカバー体で係合片と係合部との嵌合部表面を覆ったことを特徴とする請求項２記載の冷蔵庫。
【請求項４】
可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、基板に前記ハウジングの結合状態での長さ寸法に合わせた間隔を有して一体に突設した抜け止め片に、導通状態に結合したプラグハウジングとリセプタクルハウジングを嵌入して係止固定したことを特徴とする冷蔵庫。
【請求項５】
可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、前記ハウジングの結合部を上方からロック部材で押圧嵌合したことを特徴とする冷蔵庫。
【請求項６】
可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、前記ハウジングの端子収容部に配設した断面コ字状のリテーナーの内面側の先端を圧着端子に当接させてハウジングからの抜けを防止し、リテーナーのハウジング上面側の係止片を後方における各ハウジングの結合部の下方まで延長して結合部下方の間隙を埋めたことを特徴とする冷蔵庫。
【発明の詳細な説明】
【０００１】
【発明の属する技術分野】
本発明は、可燃性冷媒を使用した冷蔵庫における電気配線コネクタの接続部構造に関する。
【０００２】
【従来の技術】
近年、フロンガスによるオゾン層破壊や地球温暖化など環境問題に対応するものとして、冷凍サイクルにおける冷媒を炭化水素系冷媒（以下、「ＨＣ冷媒」という。）に変更した冷蔵庫が増えつつある。
【０００３】
しかしながら、このＨＣ冷媒は可燃性冷媒であり、冷蔵庫の製造時の不具合や搬送時における衝撃によって冷却器や凝縮器などの配管部から冷媒ガスのリークが発生する可能性がある。ガスリークした場合、洩れたＨＣ冷媒は、貯蔵室内の冷却ファンや機械室における空冷ファンの回転により拡散もするが、空気より重い特性もあって、ファンの停止中は冷却器室の除霜ヒータ部分や機械室の電気部品設置空間に滞留して蓄積し、爆発限界以上の濃度となる懸念がある。
【０００４】
一方、冷蔵庫における冷媒圧縮機の運転や冷却制御装置、および除霜ヒータなどの電気部品駆動用の配線としては、電気的接続部にコネクタを配設しておこなっている。このコネクタ（５７）は、外観斜視図を図９に、拡大断面図を図１０に示すように、複数の端子収容部（５８ａ）を形成したリセプタクルハウジング（５８）とプラグハウジング（５９）とからなり、それぞれのハウジングの端子収容部（５８ａ）（５９ａ）には、リード線（５６）を圧着接続した圧着端子（６０）（６１）を収容している。リセプタクルハウジング（５８）側における圧着端子（６０）の雄型端子（６０ａ）はその先端をハウジングの筒状部（５８ｂ）内に突出しており、両ハウジングの嵌合状態では、プラグハウジング（５９）内の雌型端子（６１ａ）内に雄型端子（６０ａ）が嵌入し電気的に導通するように形成されている。
【０００５】
そして、冷蔵庫の製造組立時に前記構成のコネクタ（５７）により各電気部品装置を接続する際には、リセプタクルハウジング（５８）の嵌合凹孔（６２）にプラグハウジング（５９）の凸状片（６３）を嵌入し、係合突起（６３ａ）を段部（６２ａ）に係止してロックすることで双方のハウジングを結合し、同時に双方の雄雌圧着端子（６０ａ）（６１ａ）を係合して電気的に導通させるものであるが、図１０に示すように、前記嵌合凹孔（６２）と凸状片（６３）とは、突き合わせただけの未嵌合状態で雄雌の端子部（６０ａ）（６１ａ）は半挿入となり、一応導通状態になる。
【０００６】
それとともに、前記配線接続部は冷蔵庫の庫内奥部における冷却器部や本体底部の機械室内など、狭く作業がしにくい箇所であることから、挿入不良を確認できずに半挿入のまま検査工程を通過し、接触不良の状態で出荷されることが発生していた。
【０００７】
【発明が解決しようとする課題】
しかしながら、コネクタが半挿入の状態で冷蔵庫が運転されると、接触不良により端子間で火花が飛ぶことになり、このときに冷凍サイクルから可燃性のＨＣ冷媒の洩れが発生していて、洩れ冷媒が冷却器室や機械室内に蓄積され、爆発限界以上の濃度になっていた場合は、発火事故につながるおそれがあった。
【０００８】
また、防爆対応としては、図１１に示すように、コネクタ部（５７）を難燃性のシール材（７０）でシールして冷媒ガスの侵入を防止したり、特に図示しないが、コネクタ部を接続後テープ固定して外れないようにしたり、ゴムキャップを用いたりしていたため、部品コストや作業工程が増加するばかりでなく、作業も安定せず防爆対策としては不完全であった。
【０００９】
本発明は上記点に着目したものであり、電気配線作業がしにくい場所であっても容易に接続および組み立てができ、圧着端子の挿入不良が発生しない構成とすることで、可燃性冷媒を使用した冷蔵庫において冷媒ガスのリークが発生し、それが冷却器室や機械室などの配線接続部の近傍で可燃性冷媒の爆発限界以上の濃度になる可能性がある箇所であったとしても、発火する恐れがなく安全な冷蔵庫の配線コネクタ構成を提供するものである。
【００１０】
【課題を解決するための手段】
上記課題を解決するため、請求項１記載の冷蔵庫は、可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、前記ハウジング双方の嵌合前の突き当て状態では導電端子同士を離間させて電気的に導通しない構成とし、前記ハウジングの嵌合により導電端子間の接続をおこなうようにしたことを特徴とし、請求項２の発明は、プラグハウジング外面の結合側に突出する係合片と、リセプタクルハウジング外面の結合側に設けた係合部とを対向させて突き合わせた状態では導電端子同士を離間させて電気的に導通しない構成とし、係合片と係合部との嵌合によりハウジングの結合と導電端子間の接続をおこなうようにしたことを特徴とするものである。
【００１１】
これらの構成により、冷蔵庫における配線コネクタの接続作業を、作業困難な場所であっても容易にでき、圧着端子部の半挿入による接続不良を確実に防止できるものであり、可燃性冷媒を使用した冷蔵庫の冷凍サイクルから冷媒ガスのリークが発生し、それが冷却器室や機械室などの配線接続部の近傍であって可燃性冷媒の爆発限界以上の濃度になる可能性がある箇所であったとしても、ハウジング部からの火花による発火をなくすことができ、安全な冷蔵庫の配線コネクタ構成を得ることができる。
【００１２】
請求項３記載の発明は、係合片あるいは係合部の一方からカバー体を一体に延設し、このカバー体で係合片と係合部との嵌合部表面を覆ったことを特徴とするものであり、カバー体により、外力が係合部に掛からないようにでき、振動によっても前記両ハウジングの係合関係が外れて半挿入になったり接触不良になることを防ぐことができる。
【００１３】
請求項４記載の発明は、可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、基板に前記ハウジングの結合状態での長さ寸法に合わせた間隔を有して一体に突設した抜け止め片に、導通状態に結合したプラグハウジングとリセプタクルハウジングを嵌入して係止固定したことを特徴とし、ハウジングを結合状態で嵌入することで、半挿入による接触不良のおそれがないとともに、結合関係が外れることなく、接続コネクタ部を適正箇所に保持固定することができる。
【００１４】
請求項５記載の発明は、各ハウジングの結合部をロック部材で押圧嵌合したことを特徴とするものであり、接合部の抜けを防止することができる。またロック部材を蓋状として、ハウジングの結合部との間に弾性体からなる充填成形部材を介在させれば、弾性押圧力で位置ズレおよび外れを防止することができる。
【００１５】
請求項６記載の発明は、可燃性冷媒を使用した圧縮機と凝縮器と絞り装置および冷却器からなる冷凍サイクルにより貯蔵室内を所定温度に冷却制御する冷蔵庫において、冷凍サイクルの配管接続部など前記可燃性冷媒の漏洩および滞留可能性のある部位に配設した電気的接続部の配線コネクタをプラグハウジングとリセプタクルハウジングとから形成し、前記ハウジングの端子収容部に配設した断面コ字状のリテーナーの内面側の先端を圧着端子に当接させてハウジングからの抜けを防止し、リテーナーのハウジング上面側の係止片を後方における各ハウジングの結合部の下方まで延長して結合部下方の間隙を埋めたことを特徴とする。
【００１６】
この構成により、外圧が掛かった場合の係合部の下方への変位を阻止し、係合関係を固定化してハウジング間の外れをなくすようにできる。このとき、ハウジング係合が半挿入であれば、リテーナーの端部が係合部の下方に進入できないため、リテーナーをハウジングの端縁に嵌入することができないことになり、組立作業者が半挿入であることを認識できる効果がある。
【００１７】
【発明の実施の形態】
以下、図面に基づき本発明の一実施形態について説明する。図１は、冷蔵庫の縦断面図であり、断熱箱体で形成された冷蔵庫本体（１）の内部を貯蔵空間として最上部に冷蔵室（２）、その下方に野菜室（３）、最下部には冷凍室（４）をそれぞれ独立して配置し、この冷凍室（４）と野菜室（３）との間には断熱仕切壁（５）を介して温度切替室（６）と、図示しない自動製氷および貯氷室とを左右に併置しており、各貯蔵室の前面開口には各々専用の扉を設けて開閉自在に閉塞している。
【００１８】
冷凍室（４）の後部には、冷却器室を設けて冷凍室や製氷室用の冷却器（７）および冷却ファン（８）を配置し、野菜室（３）の背面には冷蔵室（２）と野菜室（３）とを冷却する冷蔵温度用の冷却器（９）および冷却ファン（１０）を設け、本体下部の機械室（１１）に設置した冷媒圧縮機（１２）の駆動により、前記冷却器（７）（９）で冷却された冷気を冷却ファン（８）（１０）の回転で各室に送風してそれぞれの貯蔵室を所定温度に冷却制御するものである。
【００１９】
前記圧縮機（１２）は、図示しない凝縮器、絞り装置および冷却器（７）（９）とを環状に接続して冷凍サイクルを構成しており、この冷凍サイクルは冷媒として可燃性の炭化水素系冷媒（ＨＣ冷媒）を封入している。
【００２０】
前記冷凍用および冷蔵用の各冷却器（７）（９）を構成する積層冷却フィンの外面には、特に図示しないが、蛇行状のシーズヒーターからなる除霜ヒーターを配設している。この除霜ヒーターは、両端部を絶縁してリード線と接続しており、また、庫内に設置した温度検知センサーや各制御装置からのリード線などと一体に束線化して冷却器の近傍の冷却器室の隅部で断熱材（１５）中から延びる電源リード線（１６）の端部とコネクタ（１７）により電気接続している。
【００２１】
電気配線は、その他、冷蔵庫本体背面に設置した、図示しない各種制御機器との間を接続する印刷配線基板、あるいは、前記冷媒圧縮機（１２）の近傍の機械室（１１）内に配置した電源ボックスにおいてコネクタ（１７）により集中的に接続されている。
【００２２】
コネクタ（１７）は、その結合前の断面図を図２に示すように、リセプタクルハウジング（１８）とプラグハウジング（１９）とから構成されており、冷蔵庫本体の各電気部品装置に接続されたリード線（１６）（１６）側に複数の端子収容部（１８ａ）（１９ａ）を形成している。この端子収容部には、リード線（１６）の端部を嵌めて接続した圧着端子（２０）（２１）を収容しており、リセプタクルハウジング（１８）側における圧着端子（２０）先端の複数の雄型端子（２０ａ）はハウジング先端の筒状部（１８ｂ）内に突出している。
【００２３】
プラグハウジング（１９）側の複数の端子収納部（１９ａ）には、リード線（１６）と圧着接続する複数の雌型端子（２１）の圧着部が収容されており、雌型端子（２１）の先端は、プラグハウジング（１９）先端の挿入プラグ（１９ｂ）の内側に位置して、前記雄型端子（２０ａ）が嵌入する導通片（２１ａ）を形成し、挿入プラグ（１９ａ）のリセプタクルハウジング先端の筒状部（１８ｂ）への嵌入により雄型端子（２０ａ）を受け入れて電気的に導通するように構成している。
【００２４】
そして、プラグハウジング（１９）の上面には、対向するリセプタクルハウジング（１８）側へ弾性変位可能に突出する凸状片（２３）を形成しており、リセプタクルハウジング（１８）の上面にはこの凸状片（２３）に係合する嵌合凹孔（２２）を形成している。凸状片（２３）の先端には係合突起（２３ａ）を設けており、嵌合凹孔（２２）には凸状片が弾性変位して挿入された際に係合突起（２３ａ）が係合する段部（２２ａ）を形成し、係合突起（２３ａ）と段部（２２ａ）の係合により、双方のハウジング（１８）（１９）は結合されるとともに、互いの雄型端子（２０ａ）と雌型端子の導通片（２１ａ）との導通状態を保持して離脱しないよう接続される。
【００２５】
前述したように、プラグハウジング（１９）の凸状片（２３）は弾性変位可能に形成されており、上部を押圧して変形させ、係合突起（２３ａ）と段部（２２ａ）との係合を解除することで容易にリセプタクルハウジング（１８）から外すことができる。
【００２６】
しかして、プラグハウジング（１９）とリセプタクルハウジング（１８）との接続時において、プラグハウジングの挿入プラグ（１９ｂ）のリセプタクルハウジングの筒状部（１８ｂ）への係合当初の段階では、前記凸状片（２３）と嵌合凹孔（２２）とは突き合わせ状態にあり、雌型端子（２１）先端の導通片（２１ａ）と雄型端子（２０ａ）との間には空隙（Ａ）を設けるようにして電気的導通状態にはならないように構成している。
【００２７】
双方を導通させるためには、プラグハウジング（１９）をリセプタクルハウジング（１８）側へ突き合わせ、当接時の係止力より大きな力を前進方向へ作用させることで、押圧力によって凸状片（２３）を下方へ弾性変位させ、これにより凸状片（２３）は前進して嵌合凹孔（２２）内に嵌入する。この結果、図３に示すように、係合突起（２３ａ）と段部（２２ａ）が係合することで初めて雄型端子（２０ａ）と雌型端子の導通片（２１ａ）とが接触して導通することになる。
【００２８】
そして、このときの作用力は、凸状片（２３）を下方へ変位させるほどの押圧力であることから、押し込んで係合突起（２３ａ）と段部（２２ａ）とを係合させるまでは、中途で停止することなく両者の係合部分まで慣性により一気に前進するものであり、この慣性ロック機構により、圧着端子部は半挿入にはならず、接続不良になることを確実に防止するものであり、万一可燃性冷媒の漏洩が発生し、その濃度が爆発限界以上となってもコネクタハウジング部からの火花による発火を防止することができる。
【００２９】
上記係合作用関係をさらに確実にするためには、前記凸状片（２３）と嵌合凹孔（２２）との突き合わせ時の抵抗が大きくなる形状とすればよく、例えば、図４に示すごとく、凸状片と嵌合凹孔との当接部に肉盛り（Ｂ）を加えることで嵌入時の変位抵抗を大きくすればよい。
【００３０】
さらに、図２と同一部分を同一符号で示す図５に示すように、係合突起（２３ａ）と段部（２２ａ）との係合部に対応する凸状片（２３）の上部を嵌合凹孔（２２）から一体に延設したカバー部（２２ｂ）で覆うことにより、上方からの押圧力など外力が係合突起（２３ａ）に掛からないようにでき、振動によっても前記両ハウジング（１８）（１９）の係合関係が外れて半挿入になったり接触不良になることを防ぐことができる。
【００３１】
次に他の実施形態を説明する。前記実施例と同様に同一部分を同一符号で示す図６はコネクタ接合部の斜視図であり、（３０ａ）は、冷却器近傍の仕切板や機械室内に設けた電気部品取り付け板などの樹脂製のベース板（３０）に一体に突設した抜け防止爪である。この抜け防止爪（３０ａ）は、導通状態に結合したリセプタクルハウジング（１８）とプラグハウジング（１９）とをその間に嵌入して係止固定するように、前記ハウジング（１８）（１９）の結合状態での長さ寸法に合わせた間隔でリード線（１６）の間に位置するように立設されている。
【００３２】
同様に、ハウジングの幅方向の移動を規制するズレ防止ガイドリブ（３０ｂ）を両ハウジングの接合部近傍を覆って突設させ、この抜け防止爪（３０ａ）とズレ防止ガイドリブ（３０ｂ）との間に導通状態に結合したリセプタクルハウジング（１８）とプラグハウジング（１９）を上方から嵌入することで半挿入による接触不良のおそれなく接続コネクタ部を適正箇所に保持固定することができる。
【００３３】
勿論、前記爪とリブとの関係は逆でもよく、また一方の係止片のみでもよいものであり、要はハウジングを結合状態で嵌入することで、結合関係が外れることなく保持される構成であればよい。
【００３４】
図７は、さらに他の実施形態を示すものであり、結合導通状態にある各ハウジング（１８）（１９）の結合部を、ベース板（３０）の枠（３０ｃ）内に配置し、上方から蓋状のロック部材（３５）で覆い、ハウジングの結合部との間に弾性体からなる充填成形部材（３６）を介在させ、弾性押圧力で位置ズレおよび結合部の外れ防止をおこなうものである。また変形例としては、ハウジングの結合部を単一の別部材であるロック部材で押圧嵌合して結合部の外れを防止するようにしてもよい。
【００３５】
また、図８に示すように、各ハウジングの端子収容部（１８ａ）（１９ａ）には、断面コ字状のリテーナー（４０）（４１）を嵌入し、リセプタクルハウジング（１８）側の内面側の先端を圧着端子（２０）に当接させてハウジングからの抜けを防止しているが、本実施例においては、このリテーナー（４０）のハウジング上面側の係止片（４０ａ）を後方における前記嵌合凹孔（２２）の下方まで延長し、嵌合凹孔（２２）の段部（２２ａ）と係合している凸状片（２３）の下方の間隙を埋めることによって、外圧が掛かった場合の凸状片（２３）の下方への変位を阻止し、凸状片（２３）と嵌合凹孔（２２）との係合を固定化してハウジング（１８）（１９）結合部の外れをなくすようにしてもよい。
【００３６】
この場合、凸状片（２３）と嵌合凹孔（２２）とが半挿入であれば、リテーナー（４０）の端部（４０ａ）が凸状片（２３）の下方に進入できず、また、係合爪（１８ｃ）との係合もできないため、リテーナー（４０）をリセプタクルハウジング（１８）の端縁に嵌入することができないことになり、組立作業者はハウジング（１８）（１９）が半挿入であることを認識して対応できる。
【００３７】
【発明の効果】
本発明は以上のように構成されており、冷蔵庫における配線コネクタの接続作業を、作業困難な場所であっても容易にでき、圧着端子部の半挿入による接続不良を確実に防止できるものであり、可燃性冷媒を使用した冷蔵庫の冷凍サイクルから冷媒ガスのリークが発生し、それが冷却器室や機械室などの配線接続部の近傍であって可燃性冷媒の爆発限界以上の濃度になる可能性がある箇所であったとしても、コネクタハウジング部からの火花による発火をなくすことができ、安全な冷蔵庫の配線コネクタ構成を得ることができる。
【図面の簡単な説明】
【図１】本発明の一実施形態を示す冷蔵庫の縦断面図である。
【図２】図１における配線コネクタ部を示す拡大断面図である。
【図３】図２のリセプタクルハウジングおよびプラグハウジングの結合状態を示す断面図である。
【図４】図２に示す実施例の変形例を示す要部拡大断面図である。
【図５】本発明の他の実施例を示すコネクタ部の拡大断面図である。
【図６】本発明の他の実施形態を示すコネクタ取り付け部の斜視図である。
【図７】本発明のさらに他の実施形態を示すコネクタ部の断面図である。
【図８】本発明の他の実施形態を示すコネクタ部の断面図である。
【図９】従来のコネクタ構成を示す斜視図である。
【図１０】図９のコネクタの拡大断面図である。
【図１１】従来のコネクタシール構成の一例を示す斜視図である。
【符号の説明】
１…冷蔵庫本体　　　　　２…冷蔵室　　　　　４…冷凍室
７…冷凍用冷却器　　　　８…冷却ファン　　　１１…機械室
１２…冷媒圧縮機　　　　　１６…リード線　　　　１７…コネクタ
１８…リセプタクルハウジング　　　　　１９…プラグハウジング
１８ａ、１９ａ…端子収容部　　１８ｂ…筒状部　　　１８ｃ…係合爪
１９ｂ…挿入プラグ　　　　　２０…圧着端子　　　　　２０ａ…雄型端子
２１…雌型端子　　　　　　２１ａ…導通片　　　　　２２…嵌合凹孔
２２ａ…段部　　　　　　　２３…凸状片　　　　　　２３ａ…係合突起
３０…ベース板　　　３０ａ…抜け防止爪　　３０ｂ…ズレ防止ガイドリブ
３０ｃ…枠　　　　　　　　３５…ロック部材　　　３６…充填成型部材
４０、４１…リテーナ　　　　４０ａ…係止片
【図１】
2004069241.tif 000003
【図２】
2004069241.tif 000004
【図３】
2004069241.tif 000005
【図４】
2004069241.tif 000006
【図５】
2004069241.tif 000007
【図６】
2004069241.tif 000008
【図７】
2004069241.tif 000009
【図８】
2004069241.tif 000010
【図９】
2004069241.tif 000011
【図１０】
2004069241.tif 000012
【図１１】
2004069241.tif 000013